(57)【要約】【課題】光学素子の面内温度差を低減することが可能なプロジェクターを提供する。【解決手段】プロジェクターは、光源から射出された光束を光学的に変換する光学素子としての液晶パネル５２１と、液晶パネル５２１に形成され、電気的に独立して配線される複数の透明導電膜７と、複数の透明導電膜７個別に電力を供給可能とする電力供給部と、を備えている。【選択図】図４
2014095764.tif 000002
【特許請求の範囲】
【請求項１】
光源から射出された光束を画像情報に応じて変調し、投写面に画像を投写するプロジェクターであって、
前記光源から射出された光束を光学的に変換する光学素子と、
前記光学素子に形成され、電気的に独立して配線される複数の透明導電膜と、
前記複数の透明導電膜個別に電力を供給可能とする電力供給部と、
を備えていることを特徴とするプロジェクター。
【請求項２】
請求項１に記載のプロジェクターであって、
前記複数の透明導電膜は、異なる抵抗値を有する前記透明導電膜を備え、
相対的に大きな抵抗値を有する前記透明導電膜が小さい抵抗値を有する前記透明導電膜より、前記画像を形成するための前記光束が入射する前記光学素子の有効領域における中央部から遠い領域に配線されていることを特徴とするプロジェクター。
【請求項３】
請求項１または請求項２に記載のプロジェクターであって、
前記複数の透明導電膜は、前記光学素子における形成された個別の領域において、前記画像を形成するための前記光束が入射する前記光学素子の有効領域における中央部から遠くなる程、抵抗値が大きくなるように配線された前記透明導電膜を有していることを特徴とするプロジェクター。
【請求項４】
請求項１〜請求項３のいずれか一項に記載のプロジェクターであって、
前記電力供給部は、前記画像を形成するための前記光束が入射する前記光学素子の有効領域における中央部から遠い領域に配線された前記透明導電膜程、供給する電力が大きくなるように構成されていることを特徴とするプロジェクター。
【請求項５】
請求項１〜請求項４のいずれか一項に記載のプロジェクターであって、
前記光学素子には、前記透明導電膜に電気的に独立して並設される測定用透明導電膜が形成され、
前記電力供給部は、前記測定用透明導電膜の抵抗値に基づいて前記複数の透明導電膜に供給する電力の大きさを変更可能に構成されていることを特徴とするプロジェクター。
【請求項６】
請求項１〜請求項５のいずれか一項に記載のプロジェクターであって、
前記光源から射出された光束を画像情報に応じて変調する液晶パネルを備え、
前記光学素子は、前記液晶パネルであることを特徴とするプロジェクター。
【請求項７】
請求項１〜請求項６のいずれか一項に記載のプロジェクターであって、
前記光源から射出された光束を画像情報に応じて変調する液晶パネルと、
前記液晶パネルの光束射出側に配置される射出側偏光板と、
を備え、
前記光学素子は、前記射出側偏光板であることを特徴とするプロジェクター。
【請求項８】
請求項７に記載のプロジェクターであって、
前記画像情報に基づいて、前記電力供給部から前記複数の透明導電膜に供給する電力の大きさを可変に制御する制御部を備えていることを特徴とするプロジェクター。
【発明の詳細な説明】
【技術分野】
【０００１】
本発明は、プロジェクターに関する。
【背景技術】
【０００２】
従来、光源から射出された光束を画像情報に応じて変調し、変調した光束をスクリーン等の投写面に投写するプロジェクターが知られている。このプロジェクターには、光変調素子等の光学素子が備えられている。そして、これらの光学素子は、光源からの光束が入射することによって発熱して光学特性が低下するため、冷却ファンから送風された冷却風によって冷却するように構成されている。さらに、光束が入射することに伴って、中央部が外部より上昇温度が高くなる光学素子の温度差を低減ための技術が提案されている（例えば、特許文献１参照）。
【０００３】
特許文献１に記載のプロジェクター（投写型液晶表示装置）は、光変調素子としての液晶パネル、液晶パネルの近傍に配置されたヒーター素子、および駆動手段を備え、ヒーター素子には、透明導電膜が形成されている。
そして、透明導電膜は、メッシュ状に形成されて中央部とその外側で異なる密度になるように形成されることや、中央部とその外側で異なる厚みとなるように形成されることで抵抗値を変え、駆動手段から印加された電圧により面内温度差を低減するように構成されている。
【先行技術文献】
【特許文献】
【０００４】
【特許文献１】特開平１０−１３３１７８号公報
【発明の概要】
【発明が解決しようとする課題】
【０００５】
しかしながら、特許文献１に記載の技術は、光束が入射することに伴って発熱量が異なる液晶パネルの領域に対応して、液晶パネルを発熱させることが難しいと考えられる。すなわち、導電膜をメッシュ状に形成する方法においては、部分的な断線等が考えられ、厚みを変える場合には、領域に対応する膜厚の調整が難しいため、所望する領域に所望の抵抗値を有する導電膜を形成することが困難と考えられる。したがって、特許文献１に記載の技術では、光学素子の面内温度差を抑制することが困難で、投写される画像のコントラストや色ムラを抑制することが難しいという課題がある。さらに、コントラストの向上や省電力のため光源からの光束を制限して温度分布が変化する場合に対応することができない。また、液晶パネル以外の光学素子、例えば液晶パネルの射出側の偏光板においては、明るい画像を表示した場合に比べて暗い画像を表示した場合は温度上昇が大きくなり、表示される画像によって温度分布が変化するため特許文献１に記載の構成では光学素子の面内温度差を十分に抑制することが困難である。
【課題を解決するための手段】
【０００６】
本発明は、上述の課題の少なくとも一部を解決するためになされたものであり、以下の形態または適用例として実現することが可能である。
【０００７】
［適用例１］本適用例に係るプロジェクターは、光源から射出された光束を画像情報に応じて変調し、投写面に画像を投写するプロジェクターであって、前記光源から射出された光束を光学的に変換する光学素子と、前記光学素子に形成され、電気的に独立して配線される複数の透明導電膜と、前記複数の透明導電膜個別に電力を供給可能とする電力供給部と、を備えていることを特徴とする。
【０００８】
この構成によれば、光学素子には、複数の透明導電膜が形成され、それぞれの透明導電膜には、電力供給部から個別の電力が供給可能に構成されている。透明導電膜は、電力が供給されることによって発熱するので、光学素子において、透明導電膜が配線された領域に応じて発熱量を異ならせることが可能となる。これによって、光束が入射することに伴って発熱量が異なる光学素子の領域に対応して透明導電膜を配線することで、光学素子の面内温度差を低減することが可能となる。よって、光学素子は、熱歪による破損の防止や、光学特性を維持して入射する光束の光学的な変換が可能となる。したがって、長期間に亘って画質の良好な画像を投写できるプロジェクターの提供が図れる。
【０００９】
［適用例２］上記適用例に係るプロジェクターにおいて、前記複数の透明導電膜は、異なる抵抗値を有する前記透明導電膜を備え、相対的に大きな抵抗値を有する前記透明導電膜が小さい抵抗値を有する前記透明導電膜より、前記画像を形成するための前記光束が入射する前記光学素子の有効領域における中央部から遠い領域に配線されていることが好ましい。
【００１０】
この構成によれば、複数の透明導電膜は、異なる抵抗値を有する透明導電膜を備え、上述したように配線されている。これによって、複数の透明導電膜に異なる電流を供給可能とするように電力供給部を構成すると、中央部より大きい抵抗値の透明導電膜が形成されている外側において、発熱量を容易に大きくし、中央部においては、外側より小さい抵抗値の透明導電膜によって、発熱量の程度を細かく変えることが可能となる。よって、光束が入射することに伴って、中央部が外側より上昇温度が高い光学素子の面内温度差を低減する制御を容易なものとすることが可能となる。
【００１１】
［適用例３］上記適用例に係るプロジェクターにおいて、前記複数の透明導電膜は、前記光学素子における形成された個別の領域において、前記画像を形成するための前記光束が入射する前記光学素子の有効領域における中央部から遠くなる程、抵抗値が大きくなるように配線された前記透明導電膜を有していることが好ましい。
【００１２】
この構成によれば、複数の透明導電膜は、光学素子における中央部から遠くなる程、抵抗値が大きくなるように配線された透明導電膜を有しているので、この透明導電膜が形成された領域において、光学素子の面内温度差をより低減することが可能となる。
【００１３】
［適用例４］上記適用例に係るプロジェクターにおいて、前記電力供給部は、前記画像を形成するための前記光束が入射する前記光学素子の有効領域における中央部から遠い領域に配線された前記透明導電膜程、供給する電力が大きくなるように構成されていることが好ましい。
【００１４】
この構成によれば、電力供給部は上述したように透明導電膜に電力を供給するので、各透明導電膜が略同等の線幅、長さを有して略同等の抵抗値であっても、また、透明導電膜の配線パターン形状を形成される領域に対応して細密に設定しなくとも、光学素子の中央部よりその外側をより発熱させることが可能となる。よって、透明導電膜の配線パターンを容易に形成し、光学素子の面内温度差を低減することが可能となる。
【００１５】
［適用例５］上記適用例に係るプロジェクターにおいて、前記光学素子には、前記透明導電膜に電気的に独立して並設される測定用透明導電膜が形成され、前記電力供給部は、前記測定用透明導電膜の抵抗値に基づいて前記複数の透明導電膜に供給する電力の大きさを変更可能に構成されていることが好ましい。
【００１６】
この構成によれば、電力供給部は、測定用透明導電膜の抵抗値に基づいて、透明導電膜に供給する電力の大きさを変更可能に構成されている。測定用透明導電膜の抵抗値は、温度によって変化するので、光学素子の実際の温度に対応して透明導電膜に供給する電力の大きさを変えて透明導電膜の発熱量を調整することが可能となる。よって、光学素子の面内温度差を確実に低減することが可能となる。
【００１７】
［適用例６］上記適用例に係るプロジェクターにおいて、前記光源から射出された光束を画像情報に応じて変調する液晶パネルを備え、前記光学素子は、前記液晶パネルであることが好ましい。
【００１８】
この構成によれば、透明導電膜は、液晶パネルに配線されているので、液晶パネルの有効領域、すなわち投写面に投写される画像に対応する表示画像を形成する画素領域における面内温度差を低減することができる。これによって、投写される画像の色ムラやコントラスト低下等の画質の劣化を抑制することが可能となる。
【００１９】
［適用例７］上記適用例に係るプロジェクターにおいて、前記光源から射出された光束を画像情報に応じて変調する液晶パネルと、前記液晶パネルの光束射出側に配置される射出側偏光板と、を備え、前記光学素子は、前記射出側偏光板であることが好ましい。
【００２０】
この構成によれば、透明導電膜は、射出側偏光板に配線されているので、射出側偏光板における面内温度差を低減することができる。これによって、射出側偏光板の熱歪による破損の防止や、投写される画像の色ムラやコントラスト低下等の画質の劣化を抑制することが可能となる。
【００２１】
［適用例８］上記適用例に係るプロジェクターにおいて、前記画像情報に基づいて、前記電力供給部から前記複数の透明導電膜に供給する電力の大きさを可変に制御する制御部を備えていることが好ましい。
【００２２】
射出側偏光板は、液晶パネルに入力される画像情報が明るい画像を表示させる場合に比べ、暗い画像を表示させる場合の方が吸収する光量が多いため、発熱量が大きくなる。
この構成によれば、制御部が画像情報に基づいて、電力供給部を制御して電力供給部から複数の透明導電膜に供給する電力の大きさを変えるので、画像情報に応じて変わる射出側偏光板の面内温度差を効率よく低減することが可能となる。
【図面の簡単な説明】
【００２３】
【図１】第１実施形態のプロジェクターの概略構成を示す模式図。
【図２】第１実施形態におけるライトバルブを模式的に示す断面図。
【図３】第１実施形態における回路ユニットの概略構成を示すブロック図。
【図４】第１実施形態における透明導電膜の配線パターン形状を説明するための模式図。
【図５】第２実施形態における透明導電膜の配線パターン形状を説明するための模式図。
【図６】第３実施形態における射出側偏光板の模式図。
【図７】変形例における液晶パネルを模式的に示す平面図。
【発明を実施するための形態】
【００２４】
（第１実施形態）
以下、第１実施形態に係るプロジェクターについて、図面を参照して説明する。
本実施形態のプロジェクターは、光源から射出された光束を画像情報に応じて変調してスクリーン等の投写面に拡大投写する。
図１は、本実施形態のプロジェクター１の概略構成を示す模式図である。
プロジェクター１は、図１に示すように、外装を構成する外装筐体２、光源装置３１を有する光学ユニット３、および回路ユニット６を備えている。なお、図示は省略するが、外装筐体２の内部には、光学ユニット３等を冷却する冷却装置等が配置されている。
【００２５】
外装筐体２は、詳細な説明は省略するが、上部を構成する上ケース、下部を形成する下ケース等を備えている。そして、外装筐体２には、外気を取り込むための吸気口、および外装筐体２内部の温まった空気を外部に排気する排気口等が設けられている。
【００２６】
〔光学ユニットの主な構成〕
光学ユニット３は、回路ユニット６に設けられた制御部６１（図３参照）による制御の下、光源装置３１から射出された光束を光学的に処理して投写する。
光学ユニット３は、図１に示すように、光源装置３１に加え、インテグレーター照明光学系３２、色分離光学系３３、リレー光学系３４、電気光学装置４、投写レンズ３６、およびこれらの部材を光路上の所定位置に配置する光学部品用筐体３８を備えている。
【００２７】
光源装置３１は、超高圧水銀ランプやメタルハライドランプ等からなる放電型の光源３１１およびリフレクター３１２等を備え、光源３１１から射出された光束をリフレクター３１２にて反射し、インテグレーター照明光学系３２に向けて射出する。
【００２８】
インテグレーター照明光学系３２は、第１レンズアレイ３２１、第２レンズアレイ３２２、偏光変換素子３２３、および重畳レンズ３２４を備え、光源装置３１から射出された光束が後述する液晶パネル５２１（図２参照）の表面に略均一に照射されるように、また有効利用されるように構成されている。
【００２９】
色分離光学系３３は、２枚のダイクロイックミラー３３１，３３２、および反射ミラー３３３を備え、インテグレーター照明光学系３２から射出された光束を赤色光（以下「Ｒ光」という）、緑色光（以下「Ｇ光」という）、青色光（以下「Ｂ光」という）の３色の色光に分離する。
【００３０】
リレー光学系３４は、入射側レンズ３４１、リレーレンズ３４３、および反射ミラー３４２，３４４を備え、色分離光学系３３で分離されたＲ光をＲ光用の液晶パネル５２１まで導く。なお、光学ユニット３は、リレー光学系３４がＲ光を導く構成としているが、これに限らず、例えば、Ｂ光を導く構成としてもよい。
【００３１】
電気光学装置４は、Ｒ光、Ｇ光、Ｂ光の各色光用に設けられた光変調装置５（Ｒ光用の光変調装置を５Ｒ、Ｇ光用の光変調装置を５Ｇ、Ｂ光用の光変調装置を５Ｂとする）、および色合成光変調装置としてクロスダイクロイックプリズム４１を備え、色分離光学系３３で分離された各色光を画像情報に応じて変調し、変調した各色光を合成する。
【００３２】
各光変調装置５は、入射側偏光板５１、ライトバルブ５２（Ｒ光用のライトバルブを５２Ｒ、Ｇ光用のライトバルブを５２Ｇ、Ｂ光用のライトバルブを５２Ｂとする）、および射出側偏光板５４を備えている。
【００３３】
入射側偏光板５１は、色分離光学系３３で分離された色光のうち、偏光変換素子３２３で揃えられた偏光光を透過し、その偏光光と異なる偏光光を吸収して液晶パネル５２１に射出する。
【００３４】
図２は、ライトバルブ５２を模式的に示す断面図である。なお、図２は、構成要素を認識し易くするために、各要素の形状や比率を実際のものとは適宜異ならせた図である。
ライトバルブ５２は、図２に示すように、液晶パネル５２１、フレキシブル基板（図示省略）、および防塵ガラス５２２，５２３を備え、図示しない保持部材に保持されている。
【００３５】
液晶パネル５２１は、ガラスなどからなる矩形状の素子基板５２１Ｓ、および素子基板５２１Ｓに対向して配設された対向基板５２１Ｔの間に電気光学物質である液晶が密閉封入され、微小画素がマトリックス状に形成された矩形状の画素領域５２Ｈ（図４参照）を有している。画素領域５２Ｈは、投写面に投写される画像を形成するための光束が入射する有効領域に相当する。
素子基板５２１Ｓは、複数のデータ線と、複数のデータ線と直交する方向に配列形成される複数の走査線と、走査線およびデータ線の交差に対応してマトリックス状に配列形成される画素電極と、画素電極に接続されるＴＦＴ（Thin Film Transistor）あるいはＭＩＭ（Metal Insulator Metal）等のスイッチング素子とを有している。また、素子基板５２１Ｓの一方の端部には、回路ユニット６との電気的接続のための接続端子５２１Ｃｎが形成されている。
【００３６】
対向基板５２１Ｔは、素子基板５２１Ｓの接続端子５２１Ｃｎが露出するように、平面サイズが素子基板５２１Ｓの平面サイズより小さく形成されている。対向基板５２１Ｔには、素子基板５２１Ｓに対向する側の内面に共通電極、ブラックマトリックス等が形成されている。
【００３７】
フレキシブル基板は、一端が素子基板５２１Ｓの接続端子部に接続され、他端が回路ユニット６に着脱可能に接続されている。
液晶パネル５２１は、このフレキシブル基板を介して回路ユニット６から駆動信号が入力され、所定の画素電極と共通電極との間に電圧が印加される。そして、液晶パネル５２１は、画素電極および共通電極間に介在する液晶、つまり表示画像が形成される画素領域の配向状態が制御され、入射する色光を変調する。このように、液晶パネル５２１は、光源３１１から射出された光束を光学的に変換する光学素子に相当する。
【００３８】
また、図２に示すように、液晶パネル５２１の表面、具体的には、対向基板５２１Ｔの素子基板５２１Ｓに対向している側とは反対側の外面には、電気的に独立して配線される複数の透明導電膜７が形成されている。この複数の透明導電膜７には、回路ユニット６から個別に電力が供給される。そして、液晶パネル５２１は、透明導電膜７に電力が供給されることによって、光束が入射することに伴って温度上昇する面内の温度差が低減されるように構成されている。透明導電膜７の配線パターンの形状については、後で詳細に説明する。
【００３９】
防塵ガラス５２２は、平面視矩形の板材で、図２に示すように、対向基板５２１Ｔの外面下側が露出する大きさに形成されており、接着剤を介して、対向基板５２１Ｔに固定されている。
防塵ガラス５２３は、素子基板５２１Ｓと同等の平面サイズの板材で形成され、接着剤を介して、素子基板５２１Ｓに固定されている。
防塵ガラス５２２，５２３は、液晶パネル５２１の表面に塵埃が付着することを防止し、防塵ガラス５２２，５２３の表面に塵埃が付着しても焦点をずらすことにより、投写される画像の劣化を抑制するように構成されている。
【００４０】
射出側偏光板５４は、入射側偏光板５１と略同様の機能を有し、液晶パネル５２１から射出された光束のうち一定方向の偏光光を透過し、その偏光光と異なる偏光光を吸収してクロスダイクロイックプリズム４１に射出する。
【００４１】
クロスダイクロイックプリズム４１は、４つの直角プリズムを貼り合わせた平面視略正方形状をなし、各光変調装置５が対向して配置される３つの光束入射側端面を有している。そして、クロスダイクロイックプリズム４１は、直角プリズム同士を貼り合わせた界面に、２つの誘電体多層膜が形成されている。クロスダイクロイックプリズム４１は、誘電体多層膜が光変調装置５Ｒ，５Ｂにて変調された色光を反射し、光変調装置５Ｇにて変調された色光を透過して、各色光を合成する。
【００４２】
投写レンズ３６は、複数のレンズを組み合わせた組レンズとして構成され、光変調装置５にて変調され、クロスダイクロイックプリズム４１にて合成された光をスクリーン上に拡大投写する。
【００４３】
〔回路ユニットの主な構成〕
図３は、回路ユニット６の概略構成を示すブロック図である。
図３に示すように、回路ユニット６は、制御部６１、記憶部６２、画像処理部６３、ＯＳＤ処理部６４、ライトバルブ駆動部６５、電源回路６６、光源制御部６７、および電力供給部６８を備えている。
【００４４】
制御部６１は、ＣＰＵ（Central Processing Unit）や、各種データ等の一時記憶に用いられるＲＡＭ（Random Access Memory）等を備え、記憶部６２に記憶されている制御プログラムにしたがって動作することによりプロジェクター１の動作を統括制御する。つまり、制御部６１は、記憶部６２とともにコンピューターとして機能する。
【００４５】
記憶部６２は、マスクＲＯＭ（Read Only Memory）や、フラッシュメモリー、ＦｅＲＡＭ（Ferroelctric RAM：強誘電体メモリー）等の不揮発性のメモリーにより構成されている。記憶部６２には、プロジェクター１の動作を制御するための制御プログラムや、プロジェクター１の動作条件を規定する各種設定データ等が記憶されている。
【００４６】
画像処理部６３は、図示しない外部の画像出力装置から入力される各種形式の画像情報を、各色光用のライトバルブ５２の各画素の階調を表す画像情報、すなわち各画素に印加する駆動電圧を規定するための画像情報に変換する。さらに、制御部６１の指示に基づいて、変換した画像情報に対して、明るさ、コントラスト、シャープネス、色合等を調整するための画像調整処理を行い、処理後の画像情報をＯＳＤ処理部６４に出力する。
【００４７】
ＯＳＤ処理部６４は、制御部６１の指示に基づいて、メニュー画像やメッセージ画像等のＯＳＤ（On Screen Display）画像を、入力画像上に重畳する処理を行う。ＯＳＤ処理部６４は、図示しないＯＳＤメモリーを備えており、ＯＳＤ画像を形成する図形やフォント等を表すＯＳＤ画像情報を記憶している。制御部６１がＯＳＤ画像の重畳を指示すると、ＯＳＤ処理部６４は、必用なＯＳＤ画像情報をＯＳＤメモリーから読み出し、入力画像の所定の位置にＯＳＤ画像が重畳されるように、画像処理部６３から入力される画像情報にこのＯＳＤ画像情報を合成する。ＯＳＤ画像情報が合成された画像情報は、ライトバルブ駆動部６５に出力される。なお、制御部６１からＯＳＤ画像を重畳する旨の指示がない場合には、ＯＳＤ処理部６４は、画像処理部６３から出力される画像情報をそのままライトバルブ駆動部６５に出力する。
【００４８】
ライトバルブ駆動部６５は、入力される画像情報に基づいて各色光用のライトバルブ５２を駆動し、液晶パネル５２１の画素領域に表示画像を形成させる。
【００４９】
電源回路６６には、外部からＡＣ１００Ｖ等の商用電源が供給される。電源回路６６は、商用電源（交流電源）を所定の電圧の直流電源に変換して、プロジェクター１の各部に電力を供給する。
【００５０】
光源制御部６７は、制御部６１の指示に基づいて、光源３１１に対する電力の供給と停止とを制御し、光源３１１の点灯および消灯を切り換える。
【００５１】
電力供給部６８は、制御部６１の指示に基づいて、液晶パネル５２１に形成された複数の透明導電膜７個別に電力を供給可能に構成されている。電力供給部６８の動作については、後で説明する。
【００５２】
〔透明導電膜の配線パターン形状、および透明導電膜への電力供給方法〕
ここで、透明導電膜７の配線パターンの形状について説明する。
透明導電膜７は、前述したように、液晶パネル５２１における対向基板５２１Ｔの外面に形成される。
図４は、透明導電膜７の配線パターンの形状を説明するための図であり、液晶パネル５２１を模式的に示す平面図である。なお、図４は、防塵ガラス５２２，５２３を省略した図であり、透明導電膜７を認識し易くするために、各要素の形状や比率を実際のものとは適宜異ならせた図である。
【００５３】
液晶パネル５２１には、図４に示すように、左右方向が上下方向より長い矩形状の画素領域５２Ｈ（有効領域）が設けられている。
透明導電膜７は、図４に示すように、対向基板５２１Ｔの左側から順次形成され、電気的に独立して配線された透明導電膜７ａ〜７ｅを有している。
透明導電膜７ａ〜７ｅは、それぞれが上下方向に延出し画素領域５２Ｈの上下方向の長さより長く、左右方向に略等間隔で複数形成された縦配線部と、複数の縦配線部を一本の配線パターンとして接続する横配線部とを有している。つまり、透明導電膜７ａ〜７ｅそれぞれは、縦配線部と横配線部とが交互に接続されて形成されている。そして、透明導電膜７ａ〜７ｅは、対向基板５２１Ｔの表面を、図４の図面視において左右方向に５つに区画するような領域、それぞれに設けられている。
【００５４】
具体的に、透明導電膜７ｃは、図４に示すように、画素領域５２Ｈにおける左右の対向する２辺の中心を通る中心線（左右中心線Ｌｖ）を含む領域（中央領域）に形成され、透明導電膜７ｂ，７ｄは、透明導電膜７ｃの両側の領域（中間領域）に形成されている。そして、透明導電膜７ａ，７ｅは、透明導電膜７ｂ，７ｄの外側、つまり対向基板５２１Ｔの左右方向における縁部近傍の領域（端部領域）に形成されている。なお、透明導電膜７は、５つの透明導電膜７ａ〜７ｅで構成されているが、２つ以上であれば、他の数で構成してもよい。
【００５５】
透明導電膜７ａ〜７ｅは、線幅、長さが略同等に形成され、略同等の抵抗値を有するように形成されている。そして、透明導電膜７ａ〜７ｅそれぞれの両端は、接続端子５２１Ｃｎとは反対側に配線され、この両端は、接続部７ｇ，７ｖに電気的に接続されている。
そして、各接続部７ｇ，７ｖは、電力供給部６８に接続される。
【００５６】
電力供給部６８は、各接続部７ｇと各接続部７ｖとの間に異なる電力を供給する。例えば、電力供給部６８は、接地されて０Ｖとなる透明導電膜７ａ〜７ｅの接続部７ｇに対し、各接続部７ｖそれぞれに異なる電流を印加可能となるように構成されている。そして、電力供給部６８は、透明導電膜７ｃの接続部７ｖに印加する電流より大きい電流を透明導電膜７ｂ，７ｄの接続部７ｖに印加し、透明導電膜７ｂ，７ｄの接続部７ｖに印加する電流より大きい電流を透明導電膜７ａ，７ｅに印加する。
【００５７】
つまり、電力供給部６８は、左右中心線Ｌｖから遠くなる領域に配線された透明導電膜７程、大きい電力を供給する。また、電力供給部６８は、図４の図面視において、画素領域５２Ｈにおける上下の対向する２辺の中心を通る中心線（上下中心線Ｌｈ）と、左右中心線Ｌｖとの交点Ｃｐを含む有効領域における中央部に対しても、左右方向において、この中央部から遠くなる領域に配線された透明導電膜７程、大きい電力を供給することとなる。
【００５８】
透明導電膜７ａ〜７ｅは、各接続部７ｇと各接続部７ｖとの間に電力が供給されることにより、発熱する。
透明導電膜７ａ〜７ｅは、略同等の抵抗値を有し、左右中心線Ｌｖから遠くなる領域に配線された透明導電膜７程、大きい電流が印加されるので、液晶パネル５２１の表面における中間領域は、中央領域より発熱量が大きく、端部領域は、中間領域より発熱量が大きくなる。換言すると、液晶パネル５２１の表面は、端部領域から中央領域に向かうに従って発熱量が小さくなる。
【００５９】
このように、液晶パネル５２１は、表面に形成された略同等の抵抗値を有する透明導電膜７ａ〜７ｅに個別に電力が供給されることによって、左右中心線Ｌｖから遠くなる程、発熱量が大きくなる。また、液晶パネル５２１の表面は、交点Ｃｐを含む有効領域における中央部に対しても、図４の図面視における左右方向において、この中央部から遠くなる程、発熱量が大きくなる。
【００６０】
以上説明したように、本実施形態によれば、以下の効果を得ることができる。
（１）液晶パネル５２１の表面は、透明導電膜７ａ〜７ｅに個別に電力が供給されることによって、左右中心線Ｌｖから遠くなる程、発熱量が大きくなる。これによって、光束が入射することに伴って有効領域における中央部がその外側より上昇温度が高くなる液晶パネル５２１の面内温度差を低減することが可能となる。よって、液晶パネル５２１は、熱歪の防止や、光学特性を維持して入射する光束の光学的な変換が可能となる。したがって、長期間に亘って投写される画像の色ムラやコントラスト低下等の画質の劣化を抑制し、画質の良好な画像を投写できるプロジェクター１の提供が図れる。
【００６１】
（２）光源３１１からの光量を調整する調光装置等を備えたプロジェクターにおいて、入射する光量が制限されることに伴って液晶パネル５２１の面内の温度分布が変化する場合にも、電力供給部６８が供給する電力を調整して液晶パネル５２１の面内温度差を低減することが可能となる。
【００６２】
（３）電力供給部６８は、左右中心線Ｌｖから遠い領域に配線された透明導電膜７程、供給する電力が大きくなるように構成されている。これによって、透明導電膜７ａ〜７ｅが略同等の線幅、長さを有して略同等の抵抗値であっても、また、透明導電膜７の配線パターンを形成される領域に対応して細密に設定しなくとも、液晶パネル５２１の中央部よりその外側をより発熱させることが可能となる。よって、透明導電膜７の配線パターンを容易に形成し、液晶パネル５２１の面内温度差を低減することが可能となる。
【００６３】
（第２実施形態）
以下、第２実施形態に係るプロジェクター１について、図面を参照して説明する。以下の説明では、第１実施形態のプロジェクター１と同様の構成および同様の部材には、同一符号を付し、その詳細な説明は省略または簡略化する。
本実施形態の液晶パネル５２１には、第１実施形態における透明導電膜７の配線パターン形状とは異なる配線パターン形状の透明導電膜１７が形成されている。
【００６４】
図５は、透明導電膜１７の配線パターンの形状を説明するための図であり、液晶パネル５２１を模式的に示す平面図である。なお、図５は、図４と同様に、防塵ガラス５２２，５２３を省略した図であり、透明導電膜１７を認識し易くするために、各要素の形状や比率を実際のものとは適宜異ならせた図である。
【００６５】
透明導電膜１７は、図５に示すように、対向基板５２１Ｔの左側から順次形成され、電気的に独立して配線された透明導電膜１７ａ〜１７ｅを有している。
透明導電膜１７ａ〜１７ｅは、左右中心線Ｌｖに対して略対称に形成されている。すなわち、透明導電膜１７ｃは、左右中心線Ｌｖを含む中央領域に形成され、透明導電膜１７ｂ，１７ｄは、中間領域に形成され、透明導電膜１７ａ，１７ｅは、端部領域に形成されている。
【００６６】
具体的に、透明導電膜１７ｃは、左右中心線Ｌｖの両側に配線された縦配線部を有し、上下方向における一方の側（接続端子５２１Ｃｎ側）が横配線部で接続され、他方の側（接続端子５２１Ｃｎの反対側）に透明導電膜１７ｃの両端が位置するように配線されている。そして、透明導電膜１７ｃの両端は、接続部１７ｇ，１７ｖに接続されている。
【００６７】
透明導電膜１７ｂ，１７ｄは、透明導電膜１７ｃの両側に設けられ、透明導電膜１７ｃより縦配線部の数が多く、つまり、透明導電膜１７ｃより配線パターンが長く、また、左右中心線Ｌｖから遠くなる程、縦配線部の間隔が小さくなるように配線されている。つまり、透明導電膜１７ｂ，１７ｄそれぞれは、透明導電膜１７ｃより抵抗値が大きく、また、左右中心線Ｌｖから遠くなる程、抵抗値が大きくなるように配線されている。
そして、透明導電膜１７ｂ，１７ｄそれぞれの両端は、透明導電膜１７ｃの接続部１７ｇ，１７ｖと同一側に設けられた接続部１７ｇ，１７ｖに接続されている。
【００６８】
透明導電膜１７ａは、透明導電膜１７ｂの外側に設けられ、透明導電膜１７ｅは、透明導電膜１７ｄの外側に設けられている。透明導電膜１７ａ，１７ｅは、透明導電膜１７ｂ，１７ｄより縦配線部の数が多く、つまり、透明導電膜１７ｂ，１７ｄより配線パターンが長く、また、左右中心線Ｌｖから遠くなる程、縦配線部の間隔が小さくなるように配線されている。つまり、透明導電膜１７ａ，１７ｅそれぞれは、透明導電膜１７ｂ，１７ｄそれぞれより抵抗値が大きく、また、左右中心線Ｌｖから遠くなる程、抵抗値が大きくなるように配線されている。
そして、透明導電膜１７ａ，１７ｅそれぞれの両端は、透明導電膜１７ｃの接続部１７ｇ，１７ｖと同一側に設けられた接続部１７ｇ，１７ｖに接続されている。なお、透明導電膜１７は、５つの透明導電膜１７ａ〜１７ｅで構成されているが、他の数で構成してもよい。
【００６９】
このように、透明導電膜１７は、異なる抵抗値を有して複数設けられ、相対的に大きい抵抗値を有する透明導電膜１７が小さい抵抗値を有する透明導電膜１７より、左右中心線Ｌｖから遠くなる領域に配線されている。また、複数の透明導電膜１７は、有効領域における中央部に対しても、図５の図面視における左右方向において、相対的に大きい抵抗値を有する透明導電膜１７が小さい抵抗値を有する透明導電膜１７より、遠くなる領域に配線されることとなる。
【００７０】
そして、透明導電膜１７ａ，１７ｂ，１７ｄ，１７ｅは、形成されている個別の領域において、左右中心線Ｌｖから遠くなる程、配線の密度が高く、つまり抵抗値が大きくなるように配線されている。また、透明導電膜１７ａ，１７ｂ，１７ｄ，１７ｅは、有効領域における中央部に対しても、図５の図面視における左右方向において、この中央部から遠くなる程、抵抗値が大きくなるように配線されることとなる。
【００７１】
電力供給部６８は、例えば、接地されて０Ｖとなる透明導電膜１７ａ〜１７ｅの接続部１７ｇに対し、各接続部１７ｖそれぞれに異なる電流を印加可能となるように構成されている。
【００７２】
透明導電膜１７ａ〜１７ｅは、各接続部１７ｇと接続部１７ｖとの間に電流が印加されることにより、発熱する。
透明導電膜１７ｂ，１７ｄは、透明導電膜１７ｃより抵抗値が大きく形成されているので、中間領域の発熱量を中央領域の発熱量より容易に大きくすることができる。
同様に、透明導電膜１７ａ，１７ｅは、透明導電膜１７ｂ，１７ｄより抵抗値が大きく形成されているので、端部領域の発熱量を中間領域発熱量より容易に大きくすることができる。
【００７３】
一方、中央領域においては、中間領域および端部領域より小さい抵抗値の透明導電膜１７ｃによって、発熱量の程度を細かく変えることが可能となる。
【００７４】
以上説明したように、本実施形態によれば、第１実施形態の効果に加え、以下の効果を得ることができる。
（１）透明導電膜１７は、異なる抵抗値を有して複数設けられ、相対的に大きい抵抗値を有する透明導電膜１７が小さい抵抗値を有する透明導電膜１７より、中央部から遠くなる領域に配線されている。そして、電力供給部６８は、複数の透明導電膜１７に異なる電流を供給可能とするように構成されている。これによって、中央部より大きい抵抗値の透明導電膜１７が形成されている領域において、発熱量を容易に大きくし、中央部においては、外側より小さい抵抗値の透明導電膜１７によって、発熱量の程度を細かく変えることが可能となる。よって、光束が入射することに伴って、中央部が外側より上昇温度が高い液晶パネル５２１の面内温度差を低減する制御を容易なものとすることが可能となる。
【００７５】
（２）透明導電膜１７ａ，１７ｂ，１７ｄ，１７ｅは、中間領域および端部領域それぞれの領域において、左右中心線Ｌｖから遠くなる程、抵抗値が大きくなるように配線されているので、各領域において、液晶パネル５２１の面内温度差をより低減することが可能となる。
【００７６】
（第３実施形態）
以下、第３実施形態に係るプロジェクター１について、図面を参照して説明する。以下の説明では、第１実施形態のプロジェクター１と同様の構成および同様の部材には、同一符号を付し、その詳細な説明は省略または簡略化する。
【００７７】
本実施形態のプロジェクター１は、ワイヤグリッドＷｇを有する無機系の射出側偏光板１５４を備えている。そして、第１実施形態のプロジェクター１では、透明導電膜７が液晶パネル５２１に形成されていたが、本実施形態のプロジェクター１では、透明導電膜がこの光学素子としての射出側偏光板１５４に形成されている。また、本実施形態の回路ユニット（図示省略）は、第１実施形態における回路ユニット６に備えられていない測定部を備えている。
【００７８】
図６は、本実施形態の射出側偏光板１５４の模式図であり、（ａ）は、側面図、（ｂ）は、平面図である。なお、図６は、構成要素を認識し易くするために、各要素の形状や比率を実際のものとは適宜異ならせた図である。
本実施形態の射出側偏光板１５４は、平面視矩形の基材の一方の面にワイヤグリッドＷｇが設けられ、透明導電膜２７は、図６（ａ）に示すように、基材の他方の面（導電膜形成面１５４Ａ）に形成されている。そして、射出側偏光板１５４は、投写面に投写される画像を形成するための光束が入射する平面視矩形状の有効領域（図示省略）を有している。
【００７９】
導電膜形成面１５４Ａには、図６（ｂ）に示すように、透明導電膜２７、および透明導電膜と同一の材料の測定用透明導電膜２８が配線パターンＰ１〜Ｐ９として形成されている。
配線パターンＰ１〜Ｐ９は、図６（ｂ）に示すように、射出側偏光板１５４の左側から順次形成され、電気的に独立して配線されている。
【００８０】
この配線パターンＰ１〜Ｐ９の内、配線パターンＰ１，Ｐ３，Ｐ５，Ｐ７，Ｐ９は、射出側偏光板１５４の面内温度差を低減するための発熱に寄与する透明導電膜２７であり、残りの配線パターンＰ２，Ｐ４，Ｐ６，Ｐ８は、自身の抵抗値が測定される測定用透明導電膜２８として構成されている。つまり、測定用透明導電膜２８は、透明導電膜２７に並設され、透明導電膜２７と測定用透明導電膜２８とは、導電膜形成面１５４Ａに交互に形成されることとなる。
【００８１】
具体的に、配線パターンＰ１，Ｐ３，Ｐ５，Ｐ７，Ｐ９（透明導電膜２７）それぞれは、図６（ｂ）に示すように、上下方向に延出する複数の縦配線部が横配線部によって接続され、それぞれの両端が射出側偏光板１５４の下側に配線される。
配線パターンＰ２，Ｐ４，Ｐ６，Ｐ８（測定用透明導電膜２８）それぞれは、上下方向に延出する複数の縦配線部が横配線部によって接続され、それぞれの両端が射出側偏光板１５４の上側に配線される。
【００８２】
このように、図６（ｂ）の図面視において、配線パターンＰ５は、射出側偏光板１５４の左右方向における中央部の領域（中央領域）に配設され、配線パターンＰ１，Ｐ９は、射出側偏光板１５４の左右方向における両端近傍の領域（端部領域）に配設され、配線パターンＰ３，Ｐ７は、中央領域と端部領域の間の領域（中間領域）に配設される。
【００８３】
そして、配線パターンＰ１，Ｐ３，Ｐ５，Ｐ７，Ｐ９（透明導電膜２７）それぞれの両端は、電力供給部６８に接続され、配線パターンＰ２，Ｐ４，Ｐ６，Ｐ８（測定用透明導電膜２８）それぞれの両端は、回路ユニットの測定部（図示省略）に接続される。
【００８４】
測定部は、温度変化に応じて変化する配線パターンＰ２，Ｐ４，Ｐ６，Ｐ８の抵抗値に対応する情報を検出し、検出した情報を抵抗値情報に変換して制御部６１に出力する。例えば、測定部は、配線パターンＰ２，Ｐ４，Ｐ６，Ｐ８（測定用透明導電膜２８）個別に電圧を印加して配線パターンＰ２，Ｐ４，Ｐ６，Ｐ８（測定用透明導電膜２８）それぞれに流れる電流を検出し、抵抗値情報に変換して制御部６１に出力する。
【００８５】
制御部６１は、測定部から出力された配線パターンＰ２，Ｐ４，Ｐ６，Ｐ８（測定用透明導電膜２８）の抵抗値情報を比較し、配線パターンＰ２，Ｐ４，Ｐ６，Ｐ８（測定用透明導電膜２８）の抵抗値の差が小さくなるように、つまり、射出側偏光板１５４の面内温度差が低減するように、電力供給部６８に指示を出し、配線パターンＰ１，Ｐ３，Ｐ５，Ｐ７，Ｐ９（透明導電膜２７）個別に電力を供給させる。
【００８６】
例えば、制御部６１は、配線パターンＰ５（透明導電膜２７）の両側に並設される２つの配線パターンＰ４，Ｐ６（測定用透明導電膜２８）の抵抗値情報から双方の抵抗値の平均値に対応する情報を算出する。そして、配線パターンＰ４，Ｐ６の平均の抵抗値が配線パターンＰ２，Ｐ８（測定用透明導電膜２８）の抵抗値より所定以上高いと判断される抵抗値情報の場合には、電力供給部６８は、制御部６１の指示の下、配線パターンＰ５へ供給する電力を小さくし、配線パターンＰ２，Ｐ８に隣接して配設された配線パターンＰ１，Ｐ９（透明導電膜２７）へ供給する電力を大きくする。
【００８７】
また、電力供給部６８は、配線パターンＰ３，Ｐ７（透明導電膜２７）に対しては、配線パターンＰ５（透明導電膜２７）へ供給する電力と、配線パターンＰ１，Ｐ９（透明導電膜２７）へ供給する電力の間の大きさの電力を供給する。なお、配線パターンＰ３，Ｐ７（透明導電膜２７）それぞれの両側に配設される測定用透明導電膜２８の抵抗値情報から双方の抵抗値の平均値に対応する情報を用いて配線パターンＰ３，Ｐ７（透明導電膜２７）に供給する電力の大きさを決定するように構成してもよい。
【００８８】
このように、電力供給部６８は、制御部６１の指示の下、測定用透明導電膜２８の抵抗値に基づいて、透明導電膜２７に供給する電力を変更可能に構成されている。
【００８９】
以上説明したように、本実施形態のプロジェクター１によれば、第１実施形態および第２実施形態の効果に加えて、以下の効果を得ることができる。
（１）電力供給部６８は、測定用透明導電膜２８の抵抗値に基づいて、透明導電膜２７に供給する電力を変更可能に構成されている。測定用透明導電膜２８の抵抗値は、温度によって変化するので、射出側偏光板１５４の実際の温度に対応して透明導電膜２７に供給する電力の大きさを変えて透明導電膜２７の発熱量を調整することが可能となる。よって、射出側偏光板１５４の面内温度差を確実に低減することが可能となる。
【００９０】
（２）透明導電膜２７は、射出側偏光板１５４に配線されているので、射出側偏光板１５４における面内温度差を低減することができる。これによって、射出側偏光板１５４の熱歪による破損の防止や、投写される画像の色ムラやコントラスト低下等の画質の劣化を抑制することが可能となる。
【００９１】
（変形例）
なお、前記実施形態は、以下のように変更してもよい。
第１実施形態の透明導電膜７ａ〜７ｅは、図４の図面視において、光学素子の左右方向に区画されたような領域にそれぞれが配線されるように形成されているが、中心点Ｃｐ含む中央部を順次取り囲むような領域に透明導電膜それぞれが環状に配線されるように形成してもよい。
図７は、この変形例を説明するための液晶パネル５２１を模式的に示す平面図であり、（ａ）は、１つの変形例を示す図、（ｂ）は、他の変形例を示す図である。
図７（ａ）に示すように、透明導電膜７１は、縦配線部と横配線部とが接続されて形成され、画素領域５２Ｈ（有効領域）における中心点Ｃｐを含む中央部の領域を囲み、中心点Ｃｐから遠ざかるように順次複数配設されている。この構成により、画素領域５２Ｈ（有効領域）における中央部に対し、左右方向に加え上下方向においても、この中央部から遠くなる程、発熱量が大きくなるようにすることが可能となる。すなわち、複数の透明導電膜７１が異なる抵抗値を有するように形成し、大きい抵抗値を有する透明導電膜７１が小さい抵抗値を有する透明導電膜７１より、中央部から遠い領域に配線するように構成することでその実現が可能となる。また、複数の透明導電膜７１が略同等の抵抗値を有するように形成された場合であっても、中央部から遠い領域に配線された透明導電膜７１に中央部に近い領域に配線された透明導電膜より大きな電力を供給することで、その実現が可能となる。よって、液晶パネル５２１の面内温度差をより低減することが可能となる。
また、図７（ａ）に示した透明導電膜７１は、縦配線部および横配線部という直線状の配線パターンで配線されているが、図７（ｂ）に示すように、透明導電膜７２が曲線を有して配線されるように形成してもよい。
また、図７に示す配線パターンの透明導電膜を、液晶パネル５２１に限らず、他の光学素子に形成するように構成してもよい。
【００９２】
第１実施形態の透明導電膜７は、対向基板５２１Ｔの外面側に形成されているが、素子基板５２１Ｓの外面側に形成してもよく、また双方の部材に形成してもよい。
また、対向基板５２１Ｔや素子基板５２１Ｓの内面側に透明導電膜を形成してもよい。この場合、対向基板５２１Ｔや素子基板５２１Ｓに形成される電極と透明導電膜との間には絶縁膜が形成されることとなる。
また、防塵ガラス５２２，５２３に透明導電膜を形成してもよい。
【００９３】
第１実施形態、第２実施形態に示す複数の透明導電膜７，１７を液晶パネル５２１以外の光学素子、例えば、入射側偏光板５１や射出側偏光板５４に設け、この複数の透明導電膜７，１７個別に電力を供給するように構成してもよい。また、光学ユニット３に位相差板、あるいは光束の位相のずれを補償する補償素子等を光学素子として構成し、この光学素子に透明導電膜７，１７を設けてもよい。
また、第３実施形態に示す透明導電膜２７、測定用透明導電膜２８を射出側偏光板１５４以外の光学素子、例えば、液晶パネル５２１、位相差板、あるいは補償素子等に形成してもよい。
【００９４】
第２実施形態の透明導電膜１７ａ，１７ｂ，１７ｄ，１７ｅは、形成されている領域において、配線される密度が高くなることで、左右中心線Ｌｖから遠くなる程、抵抗値が大きくなるように形成されているが、密度以外にも配線パターンの線幅や厚みが変更されることによって抵抗値が大きくなるように形成してもよい。例えば、第１実施形態における透明導電膜７を左右中心線Ｌｖから遠くなる程、線幅が細くなるように形成したり、厚みが薄くなるように形成したりしてもよい。また、第１実施形態における透明導電膜７の縦配線部において、上下中心線Ｌｈから遠くなる程、線幅が細くなるように形成したり、厚みが薄くなるように形成したりしてもよい。
【００９５】
第３実施形態における測定用透明導電膜２８を透明導電膜２７として構成し、制御部６１が画像情報に基づいて、電力供給部６８からこの複数の透明導電膜２７に供給する電力の大きさを可変に制御するように構成してもよい。
射出側偏光板１５４は、液晶パネル５２１に入力される画像情報が明るい画像を表示させる場合に比べ、暗い画像を表示させる場合の方が吸収する光量が多いため、発熱量が大きくなる。この構成によれば、制御部６１が画像情報に基づいて、透明導電膜２７に供給する電力の大きさを変えるので、画像情報に応じて変わる光学素子の面内温度差を効率よく低減することが可能となる。
また、この技術は、射出側偏光板１５４に限らず、液晶パネル５２１の光束射出側に配置される他の光学素子にも適用可能である。
【００９６】
前記第３実施形態における測定用透明導電膜２８は、透明導電膜２７が形成される面と同一面に形成されているが、液晶パネル５２１に測定用透明導電膜２８を形成する場合には、測定用透明導電膜２８と透明導電膜２７とを異なる面に形成するように構成してもよい。
例えば、対向基板５２１Ｔの外面および素子基板５２１Ｓの外面の一方に測定用透明導電膜２８を形成し、他方に透明導電膜２７を形成してもよい。また、対向基板５２１Ｔや素子基板５２１Ｓの内面側に、絶縁膜を介して透明導電膜２７および測定用透明導電膜２８を積層してもよい。
【００９７】
第３実施形態では、透明導電膜２７と測定用透明導電膜２８とが交互に配設されているが、隣接する２つの測定用透明導電膜２８の間に複数の透明導電膜２７が配設されるように形成してもよい。
【００９８】
前記実施形態では、各透明導電膜の両端が光学素子における一方の側に配線されるように形成されているが、一方に限らず複数の側に配線されるように形成してもよい。
【００９９】
複数の透明導電膜において、電気的に同電位となる端子を光学素子の表面上で接続するように配線してもよい。
【０１００】
前記実施形態の技術は、ワイヤグリッドを備えた無機系の偏光素子において、このワイヤグリッドに電力供給部６８から電力を供給するように構成する技術にも適用できる。すなわち、複数の領域に区分けされたワイヤグリッドを各領域毎に電気的に接続し、各領域毎のワイヤグリッドに個別に電力を供給するように構成する技術にも適用できる。これによって、前述した技術と同様に、ワイヤグリッドを備えた偏光素子において、透明導電膜を備えない構成であっても、光束が入射することによる面内温度差を低減することが可能となる。
【０１０１】
前記実施形態のプロジェクター１は、光変調装置として透過型の液晶パネル５２１を用いているが、反射型の液晶パネルを利用したものであってもよい。
【０１０２】
光源３１１は放電型のランプに限らず、その他の方式のランプや発光ダイオード等の固体光源で構成してもよい。
【符号の説明】
【０１０３】
１…プロジェクター、２…外装筐体、３…光学ユニット、５…光変調装置、６…回路ユニット、７，７ａ〜７ｅ，１７，１７ａ〜１７ｅ，２７，７１，７２…透明導電膜、７ｇ，７ｖ…接続部、１７ｇ，１７ｖ…接続部、２８…測定用透明導電膜、５１…入射側偏光板、５２…ライトバルブ、５２Ｈ…画素領域、５４…射出側偏光板、６１…制御部、６２…記憶部、６３…画像処理部、６８…電力供給部、１５４…射出側偏光板、３１１…光源、５２１…液晶パネル、５２１Ｓ…素子基板、５２１Ｔ…対向基板。
【図１】
2014095764.tif 000003
【図２】
2014095764.tif 000004
【図３】
2014095764.tif 000005
【図４】
2014095764.tif 000006
【図５】
2014095764.tif 000007
【図６】
2014095764.tif 000008
【図７】
2014095764.tif 000009